(57)【要約】  【課題】冷凍室と冷蔵室との冷気風量配分により、庫内を冷却するものにおいて、安価な手段で適正な庫内温度を確保できる冷蔵庫を提供する。  【解決手段】冷蔵室２と冷凍室３と、冷却システムを構成する圧縮機４と、蒸発器６と、庫内冷却用ファンモータ５とを備え、冷凍室３と冷蔵室２との冷気風量配分により庫内を冷却する冷蔵庫において、通常冷却運転サイクル中、庫内冷却用ファンモータ５の起動を圧縮機４の起動より遅延させるものであり、低外気温度時、冷気の自然対流により冷気風量配分が冷凍室側に多くなり冷凍室温度を所定温度まで確実に冷却することができ、冷凍食品の保存性が高まる。【選択図】図１
2007139254.tif 000002
【特許請求の範囲】
【請求項１】
冷蔵室と冷凍室と、冷却システムを構成する圧縮機と、蒸発器と、庫内冷却用ファンモータとを備え、冷凍室と冷蔵室との冷気風量配分により庫内を冷却する冷蔵庫において、通常冷却運転サイクル中、前記庫内冷却用ファンモータの起動を前記圧縮機の起動より遅延させることを特徴とする冷蔵庫。
【請求項２】
蒸発器を収納する冷凍室を冷蔵室よりも下方に配置することを特徴とする請求項１に記載の冷蔵庫。
【請求項３】
前記圧縮機の冷却運転制御を冷蔵室内に設置した庫内温度検知装置で行なうことを特徴とする請求項１または２に記載の冷蔵庫。
【請求項４】
前記蒸発器の下辺高さ位置より冷凍室内の冷気循環風路口が下方に位置することを特徴とする請求項１から３のいずれか一項に記載の冷蔵庫。
【請求項５】
前記庫内温度検知装置を設置した冷蔵室内に温度補償用のヒータを設置したことを特徴とする請求項１から４のいずれか一項に記載の冷蔵庫。
【請求項６】
外気温度を検知して庫内温度の適正制御を行うことを特徴とする請求項１から５のいずれか一項に記載の冷蔵庫。
【請求項７】
外気温度を検知して庫内冷気循環量を調節することを特徴とする請求項１から６のいずれか一項に記載の冷蔵庫。
【請求項８】
庫内温度検知装置により庫内冷気循環量を調節することを特徴とする請求項１から７のいずれか一項に記載の冷蔵庫。
【発明の詳細な説明】
【技術分野】
【０００１】
本発明は、庫内温度を適正化できる冷蔵庫の庫内冷却用ファンモータの制御に関するものである。
【背景技術】
【０００２】
近年、冷蔵庫を使用する環境は多様であり求められる品質は厳しいものとなっている。そのため如何なる使用条件下においても庫内温度を確保しなければならず、低外気温においては温度補償ヒータによって運転率を増加させて冷凍室温度を低下させるようになってきている（例えば、特許文献１参照）。
【０００３】
以下、図面を参照しながら、上記従来の冷蔵庫について説明する。
【０００４】
図５は、特許文献１に記載された従来の冷蔵庫の断面図、図６は、従来の冷蔵庫の冷却制御タイムチャートを示すものである。
【０００５】
図５において、冷蔵庫１０１は断熱仕切を介して下部に冷凍室１０２、上部に冷蔵室１０３を備え、圧縮機１０４、庫内冷却用ファンモータ１０５、蒸発器１０６を備えた冷凍サイクルと、冷蔵室１０３下部に温度補償ヒータ１０７、冷蔵室１０３内に温度検知装置８を有している。そして、冷蔵室１０３の背面には庫内冷却用ファンモータ１０５に連通したダクト１０９を設けている。
【０００６】
上記構成において、図６に示すように、冷却制御は冷蔵室１０３内に設置した温度検知装置１０８によって圧縮機１０４と庫内冷却用ファンモータ１０５は同期させて運転／停止を繰り返し行い庫内１０３の温度の調節を行っている。また温度補償ヒータ１０７をＯＦＦ通電制御させ、低外気温度においても運転率を上昇させて冷凍室１０２の温度上昇を抑制させている。
【特許文献１】特開２００３−７５０４１号公報
【発明の開示】
【発明が解決しようとする課題】
【０００７】
しかしながら、上記従来の冷蔵庫では、低外気温度において温度補償ヒータを通電させて運転率を上昇させ過ぎると冷凍室以外の貯蔵室温度が過冷になるため、さらなる制御装置を備えていない冷蔵庫においては冷凍食品を保存できる温度まで冷却することが出来ない、また温度補償ヒータや温度調節装置等高価な部品を備えなければならず商品を安価に提供できないという課題を有していた。
【０００８】
本発明は上記従来の課題を解決するものであり、低外気温度においても適正な庫内温度を確保できる冷蔵庫を提供することを目的とする。
【課題を解決するための手段】
【０００９】
上記従来の課題を解決するために、本発明の冷蔵庫は、冷蔵室と冷凍室と、冷却システムを構成する圧縮機と、蒸発器と、庫内冷却用ファンモータとを備え、冷凍室と冷蔵室との冷気風量配分により庫内を冷却する冷蔵庫において、通常冷却運転サイクル中、前記庫内冷却用ファンモータの起動を前記圧縮機の起動より遅延させるものである。
【００１０】
これによって、通常冷却運転サイクル中の庫内冷却用ファンモータの遅延動作制御により、低外気温度時、冷気の自然対流により冷凍室とその他貯蔵室との冷気風量配分を適性化させることができる。
【発明の効果】
【００１１】
本発明の冷蔵庫は、高価な制御部品を搭載しなくても、低外気温度時、冷気風量配分が冷凍室側に多くなり冷凍室温度を所定温度まで確実に冷却することができ、冷凍食品の保存性が高まる。
【発明を実施するための最良の形態】
【００１２】
請求項１に記載の発明は、冷蔵室と冷凍室と、冷却システムを構成する圧縮機と、蒸発器と、庫内冷却用ファンモータとを備え、冷凍室と冷蔵室との冷気風量配分により庫内を冷却する冷蔵庫において、通常冷却運転サイクル中、前記庫内冷却用ファンモータの起動を前記圧縮機の起動より遅延させるものであり、低外気温度時、冷気の自然対流により冷気風量配分が冷凍室側に多くなり冷凍室温度を所定温度まで確実に冷却することができ、冷凍食品の保存性が高まる。
【００１３】
請求項２に記載の発明は、請求項１に記載の発明において、蒸発器を収納する冷凍室を冷蔵室よりも下方に配置するものであり、さらに冷気の自然対流作用を利用して冷気風量配分を冷凍室側に多くでき、冷凍室温度を所定温度まで確実に冷却することができる。
【００１４】
請求項３に記載の発明は、請求項１または２に記載の発明において、前記圧縮機の冷却運転制御を冷蔵室内に設置した庫内温度検知装置で行なうものであり、温度調節装置等の高価な部品を最小限に抑え、低コスト化を図ることができる。
【００１５】
請求項４に記載の発明は、請求項１から３のいずれか一項に記載の発明において、前記蒸発器の下辺高さ位置より冷凍室内の冷気循環風路口が下方に位置することにより、前記庫内冷却用ファンモータ起動遅延時の蒸発器からの冷気自然対流による冷凍室内冷却量が大きくなり、さらに冷凍室温度を所定温度まで確実に冷却することができ、冷凍食品の保存性が高まる。
【００１６】
請求項５に記載の発明は、請求項１から４のいずれか一項に記載の発明において、前記庫内温度検知装置を設置した冷蔵室内に温度補償用のヒータを設置したものであり、温度補償用のヒータとの相乗効果により、さらに冷蔵室および冷凍室の温度適性化を図ることができる。
【００１７】
請求項６に記載の発明は、請求項１から５のいずれか一項に記載の発明において、外気温度を検知して庫内温度の適正制御を行うものであり、さらに低外気温時、冷蔵室および冷凍室の温度適性化を図ることができる。
【００１８】
請求項７に記載の発明は、請求項１から６のいずれか一項に記載の発明において、外気温度を検知して庫内冷気循環量を調節するものであり、さらに低外気温時、冷蔵室および冷凍室の温度適性化を図ることができる。
【００１９】
請求項８に記載の発明は、請求項１から７のいずれか一項に記載の発明において、庫内温度検知装置により庫内冷気循環量を調節するものであり、さらに最適風量配分が可能になり冷蔵室および冷凍室の温度適性化を図ることができる。
【００２０】
以下、本発明の実施の形態について、図面を参照しながら説明する。なお、この実施の形態によってこの発明が限定されるものではない。
【００２１】
（実施の形態１）
図１は本発明の実施の形態１における冷蔵庫の冷却制御チャート、図２は同実施の形態の冷蔵庫の蒸発器近傍の冷気流れを示す斜視図、図３は同実施の形態の冷蔵庫の蒸発器近傍の断面図、図４は同実施の形態の冷蔵庫の外気温度と庫内温度の関係図である。
【００２２】
図１から図４において、冷蔵庫１は上段の冷蔵室２と下段の冷凍室３とより成っている。冷凍室３の背面部には蒸発器６を設置し、その上方には庫内冷却用ファンモータ５を配置、冷凍室３の冷気吐出風路９と冷蔵室２の冷気吐出風路１１とに分流するよう構成してある。また、蒸発器６の下辺高さ６ａよりも下方に冷凍室３の冷気吸込み風路１０が配置してある。また、冷蔵室２の背面部には温度検知装置８が設置してあり、圧縮機４と庫内冷却用ファンモータ５を動作制御している。そして、庫内冷却用ファンモータ５の起動を圧縮機４の起動より遅延させて起動させる制御を行う。
【００２３】
また、冷蔵室２の底面に温度補償ヒータ１２を有し、冷蔵庫１の外面には外気温度センサ１３を設けている。
【００２４】
なお、冷蔵室２の冷気吐出風路１１内には自動ダンパー等の制御部品は配置せず、冷凍室３の冷気吐出風路９と冷蔵室２の冷気吐出風路１１との冷気配分を予め設定したものである。
【００２５】
以上のように構成された冷蔵庫について、以下その動作、作用を説明する。
【００２６】
冷蔵室２の庫内温度が上昇すると温度検知装置８が作動して圧縮機４を起動（ｔ４）させる。圧縮機４の起動により冷媒がシステム内を循環して蒸発器６が冷却されるが、庫内冷却用ファンモータ５が起動していないため、冷却された冷気は蒸発器６より高い位置にある冷蔵室２の冷気吐出風路１１及び冷凍室３の冷気吐出風路９に供給することができず、蒸発器６の下辺高さより下方に位置する冷凍室３の冷気吸込み風路１０から自然対流により冷凍室３を冷却する。自然対流により冷却した冷気は極低温であり短時間で冷凍室を予備冷却することができる。圧縮機４起動後、任意に設定した遅延時間（ｔ５−ｔ４）が経過すると庫内冷却用ファンモータ５を起動（ｔ５）させて、冷蔵室２の冷気吐出風路１１及び冷凍室３の冷気吐出風路９に冷気を供給して冷凍室３を継続冷却しながら冷蔵室２の冷却を開始する。冷蔵室２の庫内温度が低下すると温度検知装置８が動作して圧縮機４と庫内冷却用ファンモータ５を停止（ｔ６）させる。
【００２７】
特に低外気温時（５℃前後）には周囲からの熱流入が少なく、冷蔵室２の温度も上昇しにくく温度検知装置８による圧縮機４の運転率も低くなり冷凍室３への冷気量も減ることで冷凍室３の温度も高くなる傾向であるが、庫内冷却用ファンモータ５の起動を圧縮機４の起動より遅延させて起動させることで、蒸発器６の冷気自然対流作用により、冷蔵室２を食品凍結しない温度に維持しながら、冷凍室３の温度を冷凍食品を保管できる所定温度まで低下させることが可能となる。
【００２８】
また、外気温センサ１３により、外気温に応じて庫内冷却用ファンモータ５の遅延時間（ｔ５−ｔ４）を外気温度が低いほど遅延時間を長くするように設定すれば、それぞれの外気温度に応じて適正な遅延時間を確保でき、さらに冷蔵室２の温度をプラス温度に保ちながら冷凍室３の温度を冷凍食品を保存できる温度に制御させることができる。
【００２９】
また、外気温センサ１３に応じて庫内冷却用ファンモータ５の回転数を制御することによって冷蔵室２と冷凍室３への風量配分を適正に変えることができ、高価な制御部品を搭載しなくても全外気温度帯において冷蔵室２の温度をプラス温度に保ちながら冷凍室３の温度を冷凍食品を保存できる温度に低減させることができる。
【００３０】
また、冷蔵室２の底面に温度補償ヒータ１２を備え、外気温センサ１３に応じて温度補償ヒータ１２を制御することで、さらに冷蔵室２の温度適正化を図ることができる。
【００３１】
また、冷蔵室２内の温度検知装置８により、庫内冷却用ファンモータ５の回転数を制御してもよい。これにより、冷蔵室２の冷却能力を高めることができる。
【産業上の利用可能性】
【００３２】
以上のように、本発明にかかる冷蔵庫は、高価な制御部品を用いず低コストで低外気から高外気まで冷蔵室を過冷させることなく冷凍室温度を適正温度に制御できるもので冷凍冷蔵機器全般の用途にも適用できる。
【図面の簡単な説明】
【００３３】
【図１】本発明の実施の形態１における冷蔵庫の冷却制御チャート
【図２】同実施の形態の冷蔵庫の蒸発器近傍の冷気流れを示す斜視図
【図３】同実施の形態の冷蔵庫の蒸発器近傍の断面図
【図４】同実施の形態の冷蔵庫の外気温度と庫内温度の関係図
【図５】従来の冷蔵庫の断面図
【図６】従来の冷蔵庫の冷却制御タイムチャート
【符号の説明】
【００３４】
１    冷蔵庫
２    冷蔵室
３    冷凍室
４    圧縮機
５    庫内冷却用ファンモータ
６    蒸発器
８    温度検知装置
１０  冷凍室冷気吸込み風路
１２  温度補償ヒータ
１３  外気温センサ
【図１】
2007139254.tif 000003
【図２】
2007139254.tif 000004
【図３】
2007139254.tif 000005
【図４】
2007139254.tif 000006
【図５】
2007139254.tif 000007
【図６】
2007139254.tif 000008